(57)【要約】【課題】  内容液の減少によって可撓性を有する内容器が変形していっても、内容器の表示は影響を受けず、最後まで外容器の外部から見ることができる内容物吐出容器を提供すること。【解決手段】  内容物吐出容器として、外容器の内部に可撓性を有する内容器を収納し、該外容器の上部に取着したポンプ部材により内容器内の内容物を外部に吐出させる吐出容器であって、内容器には、表示シートが取着され、外容器は、内容器を内部に収納し、表示シートを外部に出すようにした収納筒を立設した基台と、収納筒を覆うように基台と係合し、上部にポンプ部材を取着する可透性を有する素材で形成された容器本体とからなることを特徴とする。【選択図】  図１
2006206095.tif 000002
【特許請求の範囲】
【請求項１】
外容器の内部に可撓性を有する内容器を収納し、該外容器の上部に取着したポンプ部材により内容器内の内容物を外部に吐出させる吐出容器であって、
内容器には、表示シートが取着され、
外容器は、内容器を内部に収納し、表示シートを外部に出すようにした収納筒を立設した基台と、収納筒を覆うように基台と係合し、上部にポンプ部材を取着する可透性を有する素材で形成された容器本体とからなることを特徴とした内容物吐出容器。
【請求項２】
内容器に表示シートの両側端部を固着し、表示シートの裏面中央と内容器の表面との間に間隙を形成していることを特徴とする請求項１記載の内容物吐出容器。
【請求項３】
基台に設けた収納筒を、二箇所に切り込みを設けることで二つの壁部に別け、一方の壁部が、内容器の表面と表示シートの裏面中央との間に形成された間隙に挿入されることを特徴とする請求項１、２記載の内容物吐出容器。
【発明の詳細な説明】
【技術分野】
【０００１】
本発明は、内容物を収納する内容器を収納し、内容器内から内容物を吐出する内容物吐出容器に関するものである。
【背景技術】
【０００２】
詰替え用に製品化された可撓性を有する液体などの収納袋を、外容器の内部にセットし、収納袋の上方より突き刺すための吸込み用チューブを具えたポンプ部材を、前記外容器の上端口部に取付けてなる液体などの取出し容器において、前記外容器を可透性を有する素材で形成し、外部から収納袋内の液体の残量を確認できるようにしたものは、従来より知られている（例えば、特許文献１参照）。
【特許文献１】特開平９−９５３７６号公報
【発明の開示】
【発明が解決しようとする課題】
【０００３】
上記従来の液体などの取出し容器は、外容器にセットされた可撓性を有する液体などの収納袋は内容液の減少に合わせて縮小していくため、セット時に外容器の外部から見えていた収納袋の外表面に記載された製品名や注意書きなどの表示が、収納袋の縮小に合わせて折れ曲がったりして徐々に見えなくなってしまうことがあり、同様の容器を並べた時には、内容物の判別ができないという問題があった。
【０００４】
本発明は、上記問題を解決することを課題として、内容液の減少によって可撓性を有する内容器が変形していっても、内容器の表示は影響を受けず、最後まで外容器の外部から見ることができる内容物吐出容器を提供することを目的とする。
【課題を解決するための手段】
【０００５】
本発明は、上記の課題を解決するため、内容物吐出容器として、外容器の内部に可撓性を有する内容器を収納し、該外容器の上部に取着したポンプ部材により内容器内の内容物を外部に吐出させる吐出容器であって、内容器には、表示シートが取着され、外容器は、内容器を内部に収納し、表示シートを外部に出すようにした収納筒を立設した基台と、収納筒を覆うように基台と係合し、上部にポンプ部材を取着する可透性を有する素材で形成された容器本体とからなることを特徴とする構成を採用する。
【０００６】
表示シートの取付け状態として、内容器に表示シートの両側端部を固着し、表示シートの裏面中央と内容器の表面との間に間隙を形成していることを特徴とする請求項１記載の内容物吐出容器。
【０００７】
表示シートの保持形態として、基台に設けた収納筒を、二箇所に切り込みを設けることで二つの壁部に別け、一方の壁部が、内容器の表面と表示シートの裏面中央との間に形成された間隙に挿入されることを特徴とする構成を採用する。
【発明の効果】
【０００８】
内容器に表示シートを取着し、表示シートが、内容器を基台の収納筒内に収納した時、収納筒の壁部を介して収納筒の外にあるため、内容物の減少により内容器が変形しても表示シートは変形せず、最後まで可透性を有する素材で形成された容器本体の外側から表示を確認することができるようになった。
【発明を実施するための最良の形態】
【０００９】
図１において、Ａは、可透性を有するガラスや合成樹脂などを素材として成形された容器本体、Ｂは、容器本体Ａの上部に取着されたポンプ部材、Ｃは、容器本体Ａに取着される基台であり、容器本体Ａと基台Ｃにより本発明の外容器が構成されている。
Ｄは、基台Ｃに載置される表面に商品名等を記載した表示シートを設けたパウチ状の内容器である。  
【００１０】
図２に示すように、容器本体Ａは、筒状の側周壁１の上部に容器口部２が設けられ、該容器口部２の外周には、ポンプ部材Ｂが取着されている。
側周壁１の下端部内周には、基台Ｃを取着するねじ溝３が刻設されている。
【００１１】
ポンプ部材Ｂは、上部に取着した吐出ノズル４を具えたノズルヘッド５を、上下動することにより内容物を吸い上げ、吐出ノズル４から吐出する公知のポンプＢ１と、容器本体Ａの容器口部２にポンプ部材Ｂを取着する取付キャップ６と、ポンプＢ１の下部に取着され、下端を内容器Ｄ上部に突き刺さるように先端を斜めにカットして尖らせた吸込み筒７とを具えている。
【００１２】
図３に示すように、基台Ｃは、頂壁８と、該頂壁８周縁より垂設された側周壁９とからなり、側周壁９の上部は、容器本体Ａのねじ溝３と螺合するねじ１０が螺設され、下部は、拡径部１１となっている。
頂壁８上面には収納筒１２が立設され、収納筒１２の側周の所定の２箇所には、上端より下端付近まで切込み部１３により切り込まれ、二つの壁部１２ａ、１２ｂが形成されている。
【００１３】
内容器Ｄは、図４に示すように、表裏二枚の壁面フィルム１５ａ、１５ｂの両側端縁部を胴部シール部１６とし、二枚の壁面フィルム１５ａ、１５ｂ上下端に内側に折込まれた上部フィルム１７と底部フィルム１８を、舟形シールパターンとした上部シール部１９と底部シール部２０とし、それぞれのシール部をシールすることにより、公知のガゼット形式のパウチとして形成されている。
【００１４】
上部フィルム１７は、ポンプ部材Ｂの吸込み筒７の尖らせた先端が突き刺さった時に裂けることなく、突刺し部における孔部２１が、吸込み筒７の側周壁に密着するようになっている。
【００１５】
内容器Ｄの壁面フィルム１５ａ側には、表面に商品名や内容液の成分等の表示を印刷した表示シート２２が設けられており、表示シート２２は、両側端部が内容器Ｄの両側端縁部の胴部シール部１６に固着され、表示シート２２の裏面と壁面フィルム１５ａとの間には間隙ｄができるようになっている。
【００１６】
次に、本実施形態の容器の組立てと、作用効果について説明する。
容器の組立てにあたっては、まず、内容器Ｄの両胴部シール１６の端縁を両側より手指で押圧し、図５（ａ）に示すように、内容器Ｄを変形させる。
【００１７】
内容器Ｄの表示シート２２と壁面フィルム１５ａとの間の間隙ｄに、下方から基台Ｃの収納筒１２の壁部１２ａを挿入しながら、図５（ｂ）に示すように、内容器Ｄを基台Ｃの収納筒１２内に載置する。
そのことにより、内容器Ｄの表示シート２２の表面が、収納筒１２の壁部１２ａの外側に表示される。
【００１８】
基台Ｃに収納された内容器Ｄの上方より、内容器Ｄの上部フィルム１７の中央部に、容器本体Ａに取着したポンプ部材Ｂの吸込み筒７の尖らせた先端を突き刺して上部フィルム１７に孔部２１を形成し、吸込み筒７を挿入しながら容器本体Ａを被せ、基台Ｃの側周壁９と容器本体Ａの側周壁１下端を螺合させる。
容器本体Ａは、可透性を有する素材で成形されているため、容器本体Ａの外側から、基台Ｃの壁部１２ａの外側に表示された内容器Ｄの表示シート２２の表面の表示を見ることができる。
【００１９】
内容液の使用にあたっては、ポンプ部材Ｂのノズルヘッド５を上下動することにより、吸込み筒７によって、内容器Ｄ内から内容物を吸い上げ、ポンプ部材Ｂの吐出ノズル４から内容物を吐出する。
【００２０】
内容物を使用する際、内容物が吸い上げられ、内容器Ｄの内圧が下がり、内容器Ｄ自体が内方に変形していくが、表示シート２２と壁面フィルム１５ａとの間に基台Ｃの壁部１２ａが挿入されているため、表示シート２２自体は折れ曲がったりしないので、内容物吐出の最後まで常に表示シート２２の表示は、基台Ｃの収納筒１２の壁部１２ａの外側に表示される。
また、内容器Ｄの変形具合を見ることで、内容物の残量を確認することができる。
【００２１】
内容物を最後まで使用した後は、容器本体Ａと基台Ｃとの螺合を外し、ポンプ部材Ｂの吸込み筒７を内容器Ｄの上部フィルム１７の孔部２１から抜き取りながら、容器本体Ａを基台Ｃから外し、使用し終わった内容器Ｄを、基台Ｃの収納筒１２から取り外す。
内容物を詰めた新しい内容器Ｄを、再度、前記のように基台Ｃの収納筒１２内に組み込めば、内容物を吐出させ、使用することができる。
【００２２】
本実施例の内容器Ｄは、底部を下にして自立させることができるので、表示シートを表示として、内容器だけを詰替え用の製品として棚等に陳列することができる。
【００２３】
次に、上記実施例の内容器の形状を変更した変形実施例について説明をする。
上記実施例の内容器Ｄでは、二枚の壁面フィルム１５ａ、１５ｂ上下端に内側に折込まれた上部フィルム１７と底部フィルム１８を、舟形シールパターンとしてシールすることによって内容器Ｄを形成したが、図６に示すように、内容器Ｄａを、二枚の壁面フィルム１５ａａ、１５ａｂと底部フィルム１８ａによりスタンディングパウチとして形成して、内容器Ｄａの上部に、ポンプ部材の吸込み筒が挿入されるような孔部を設けるようにしてもよい。
【００２４】
また、底部フィルム１８ａを上面となるように内容器Ｄａを倒立して、底部フィルム１８ａを上にして基台Ｃにセットすることにより、底部フィルム１８ａの上部中央に吸込み筒７を突き刺して使用することもできる。
この場合、壁面フィルム１５ａａ側に設ける表示シート２２ａの表示を、底部フィルム１８ａ側を上にして記載しておくとよい。
【００２５】
上記各実施例では、内容器を公知の形式でパウチ容器として形成したが、内容器の壁面に、壁面の表面との間に間隙を形成するように表示シートを取着し、内容器を、外容器内に収納した時、内容器の上部中央にポンプ部の吸込み筒が挿入される孔部を形成できればよいので、本発明の内容器の形状は、上記各実施例の形状に限定されない。
【００２６】
内容器を収納する基台の収納筒と、収納筒に形成される壁部は、内容器に合わせて成形すればよく、また、基台に立設される内容器収納部は筒型でなくても、表示シートと内容器との間の間隙に挿入される壁部だけでもよく、本発明の基台の形状は、上記各実施例の形状に限定されない。
【産業上の利用可能性】
【００２７】
詰替容器としての内容器と表示シートとの間に、内容器収納部の壁部を挿入しているので、内容物の減少により内容器が変形しても表示シートは変形せず、最後まで、可透性を有する素材で形成された外容器の外側から、内容器の表示と内容物の残量を確認することができるようになった。
【００２８】
外容器一つでいろいろな内容物を収納した内容器を簡単に詰替えることができ、詰替え可能の内容物吐出容器としての汎用性が高まった。
内容物として、液体、粉体、半固形体の洗剤、化粧料、食料品、薬品などの詰替容器として利用できる。
【図面の簡単な説明】
【００２９】
【図１】本発明の内容物吐出容器の斜視図である。
【図２】容器本体にポンプ部材を取着した斜視図である。
【図３】基台の斜視図である。
【図４】内容器の説明図で、（ａ）は正面図、（ｂ）は底面図である。
【図５】内容器の説明図で、（ａ）は変形時の上面図、（ｂ）は変形後、基台にセットした時の上面図である。
【図６】変形実施例の内容器の説明図で、（ａ）は正面図、（ｂ）は底面図である。
【符号の説明】
【００３０】
Ａ        容器本体
Ｂ        ポンプ部材
Ｂ１      ポンプ
Ｃ        基台
Ｄ、Ｄａ  内容器
ｄ        間隙
１        側周壁
２        容器口部
３        ねじ溝
４        吐出ノズル
５        ノズルヘッド
６        取付キャップ
７        吸込み筒
８        頂壁
９        側周壁
１０      ねじ
１１      拡径部
１２      収納筒
１２ａ、１２ｂ  壁部
１３            切込部
１５ａ、１５ｂ、１５ａａ、１５ａｂ    壁面フィルム
１６            胴部シール部
１７            上部フィルム
１８、１８ａ    底部フィルム
１９            上部シール部
２０            底部シール部
２１            孔部
２２、２２ａ    表示シート
【図１】
2006206095.tif 000003
【図２】
2006206095.tif 000004
【図３】
2006206095.tif 000005
【図４】
2006206095.tif 000006
【図５】
2006206095.tif 000007
【図６】
2006206095.tif 000008